(57)【要約】【課題】  片手での装脱着が容易で、簡便に装脱着を行うことのできる放射線防護衣を提供すること。【解決手段】  放射線遮蔽能を有する放射線遮蔽材によって前身頃と後身頃とを連接一体に形成した身体用衣であって、前記前身頃又は後身頃の左右いずれか一方の側に該身体用衣を固定させるためのベルトを取付けた放射線防護衣。  前記ベルトの片面、及び前身頃の側部から着用者の腹部に至る部分の表面に、該ベルトを着用者の腰部から腹部にわたる領域の少なくとも一部分に巻き付け、着脱自在に密着固定させるための面ファスナーを設け、さらに、前記ベルトの少なくとも一部分には、張力に応じて伸縮し得る可撓性の素材からなる伸縮部を設けることが好ましい。【選択図】  図３
0003123657.tif 000002
【実用新案登録請求の範囲】
【請求項１】
放射線遮蔽能を有する放射線遮蔽材により前身頃と後身頃とを連接一体に形成した身体用衣であって、前記前身頃又は後身頃の左右いずれか一方の側に、該身体用衣を固定させるためのベルトが取付けられていることを特徴とする放射線防護衣。
【請求項２】
前記ベルトの先端部を含む片面、及び前記前身頃の側部から着用者の腹部に至る部分の表面に、該ベルトを着用者の腰部から腹部にわたる領域の少なくとも一部分に巻き付け、着脱自在に密着固定させるための面ファスナーが設けられていることを特徴とする請求項１に記載の放射線防護衣。
【請求項３】
前記ベルトの少なくとも一部分に張力に応じて伸縮し得る可撓性の素材からなる伸縮部が設けられていることを特徴とする請求項１又は２に記載の放射線防護衣。
【請求項４】
前記可撓性の素材がゴム又はゴムとポリエステル繊維からなることを特徴とする請求項３に記載の放射線防護衣。
【請求項５】
前記前身頃は、少なくとも着用者の肩部と、胸部及び腹部から膝辺りまでを覆う部分と、袖ぐりから着用者の脇腹部を経て膝辺りまでを覆う側部とからなり、前記後身頃は少なくとも着用者の肩部と、背部及び腰部を経て膝辺りまでを覆う部分と、着用者の脇腹部を経て膝辺りまでを覆う側部とからなり、前記前身頃又は後身頃のいずれか一方には左右に開閉可能な合わせ部を有することを特徴とする請求項１〜４のいずれか１項に記載の放射線防護衣。
【請求項６】
前記前身頃が少なくとも肩部と、着用者の胸部及び腹部から膝辺りまでに至る前掛部と、袖ぐりから前記前掛部の膝辺りまでを覆う側部とからなり、前記後身頃が少なくとも肩部と、袖ぐりから着用者の脇腹部までを覆う側部と、前記肩部と連なる背当部とからなることを特徴とする請求項１〜４のいずれか１項に記載の放射線防護衣。
【請求項７】
前記背当部は係止部を介して左右に開閉自在に形成されていることを特徴とする請求項６に記載の放射線防護衣。
【請求項８】
前記背当部の中の一方と前記ベルトとが連接一体に形成されていることを特徴とする請求項６又は７に記載の放射線防護衣。
【考案の詳細な説明】
【技術分野】
【０００１】
本考案は医療分野におけるＸ線撮影時の技術者や、原子力発電所等での炉内作業、理工学分野におけるアイソトープ取扱い作業等、放射線被曝を受ける可能性のある場所での作業者を、Ｘ線、低エネルギーのγ線、β線等の放射線から保護するために使用される放射線防護衣に関する。
【背景技術】
【０００２】
放射線防護衣は鉛、鉛化合物、タングステン、スズ等の重金属を主材とする放射線遮蔽シートまたはその積層体の表面に合成樹脂、繊維、ゴム、又はこれらの複合体からなるシートを被覆した放射線防護材の裁断片を所定の形状に縫製して、エプロン、コート、スカート、マント等の身体用衣としたものである（例えば特許文献１、２等参照）。
【０００３】
図７は従来のエプロンタイプの放射線防護衣の一例を後からみた斜視図を例示するものである。本例の放射線防護衣１０１は、放射線遮蔽能を有する放射線遮蔽材からなる前身頃１０２、肩部１０６、及び後身頃１０３を連接してエプロンタイプの身体用衣に形成するとともに、後身頃１０３の両側部における着用者の腰部近傍にそれぞれベルト１１０,１１０を取り付けてなる。
【０００４】
使用に際しては、襟ぐり１０８から頭部（顔部分）を挿通し、また、左右の袖ぐり１０９,１０９からは両腕を挿通した後、左右のベルト１１０,１１０を背面において結ぶか、着用者の背面（腰部付近）で交差させてそれぞれの先端部を着用者の胴まわりに沿って前身頃１０２側に回し、両ベルト１１０,１１０の先端に取り付けられたバックル等の係止手段（図示せず）により放射線防護衣１０１を着用者の腰部近傍に固定させるようになっている。
【０００５】
また、着用者の肩部から膝辺りまでを放射線遮蔽材で覆う前身頃と後身頃とを、そのいずれか一方に設けた左右に開閉し得る合わせ部を除いて連接一体に縫製したコートタイプの身体用衣からなる従来の放射線防護衣においても、前身頃又は後身頃のそれぞれ左右両方にベルトが取付けられており、前記エプロンタイプの放射線防護衣と同様、着用者は前身頃または後身頃に設けられた合わせ部を左右に開いてその襟ぐり及び袖ぐりから頭部（顔部分）及び両腕をそれぞれ挿通して装着した後、この左右２本のベルトを背面で結びつけるか、左右から着用者の腰部に沿って前面に回して両ベルトの先端に取り付けられたバックル等の係止手段により固定するようになっている。
【０００６】
このように、図７に例示の放射線防護衣をはじめ、特にエプロンタイプやコートタイプの従来の放射線防護衣では、前身頃又は後身頃における着用者の両脇腹（腰部の左右両側）近傍にそれぞれ左右１対のベルトが取付けられていて、放射線防護衣の装着時に両手でこのベルトを背面で結びつけるか、又は両ベルトの先端部分を把持して着用者の背面で交差させ、着用者の側腰部に沿ってそれぞれのベルトを該ベルトが取り付けられている側とは反対側の前面側に引っ張り、両ベルトを着用者の胴又は腰まわりに巻きつけるようにしながら両ベルトの先端に取り付けられたバックルやベルトの先端面とこれに対応する前身頃の一部分に設けられた面ファスナーなどの一般的な係止手段により、着用した放射線防護衣が着用者の体にフィットし固定されるようになっている。
【０００７】
そのため、このような従来の放射線防護衣は、装脱着する場合は背面での手の操作及び両手での操作が必要であり、作業性が悪く煩わしかった。また、手術作業中等のために術者の片手が塞がっている場合には装脱着ができないという不便さがあった。
【０００８】
さらに、放射線防護衣はその素材が鉛等の重金属で構成されているためかなりの重さがあり、これは着用者にとっては特に肩部に対してかなりの負担となり着用時の大きな問題点であった。
ところが、図７のような従来の防護衣では、ベルトは主に作業中において放射線防護衣が着用者の体を覆い、脱着しないようにするための固定を目的としていて、肩への重さを緩和、すなわち着用したとき着用者が認識する放射線防護衣の重量感を緩和するための特別な工夫はなされてなかった。例えば、腰部に固定するベルトをきつく縛ると一時的に重量を一部腰部や胴回りに分散させることができるが、作業中にベルトに緩みを生じ、いずれ重さは肩に集中するという問題を従来からかかえていた。
【０００９】
【特許文献１】実開平１−１０２８９８号公報
【特許文献２】実開昭６３−１７２９９９号公報
【考案の開示】
【考案が解決しようとする課題】
【００１０】
本考案は前記の点に鑑み、片手での装脱着が容易で、簡便に装脱着を行うことができる放射線防護衣を提供することを課題とする。
【課題を解決するための手段】
【００１１】
本考案者等は下記の構成を採用することによって上記課題の達成を可能にした。（１）放射線遮蔽能を有する放射線遮蔽材により前身頃と後身頃とを連接一体に形成した身体用衣であって、前記前身頃又は後身頃の左右いずれか一方の側に、該身体用衣を固定させるためのベルトが取付けられていることを特徴とする放射線防護衣。
【００１２】
（２）前記ベルトの先端部を含む片面、及び前記前身頃の側部から着用者の腹部に至る部分の表面に、該ベルトを着用者の腰部から腹部にわたる領域の少なくとも一部分に巻き付け、着脱自在に密着固定させるための面ファスナーが設けられていることを特徴とする前記（１）に記載の放射線防護衣。
（３）前記ベルトの少なくとも一部分に張力に応じて伸縮し得る可撓性の素材からなる伸縮部が設けられていることを特徴とする前記（１）又は（２）に記載の放射線防護衣。
【００１３】
（４）前記可撓性の素材がゴム又はゴムとポリエステル繊維からなることを特徴とする前記（３）に記載の放射線防護衣。
【００１４】
（５）前記前身頃は、少なくとも着用者の肩部と、胸部及び腹部から膝辺りまでを覆う部分と、袖ぐりから着用者の脇腹部を経て膝辺りまでを覆う側部とからなり、前記後身頃は少なくとも着用者の肩部と、背部及び腰部を経て膝辺りまでを覆う部分と、着用者の脇腹部を経て膝辺りまでを覆う側部とからなり、前記前身頃又は後身頃のいずれか一方には左右に開閉可能な打合わせ部を有することを特徴とする前記（１）〜（４）のいずれかに記載の放射線防護衣。
【００１５】
（６）前記前身頃が少なくとも肩部と、着用者の胸部及び腹部から膝辺りまでに至る前掛部と、袖ぐりから前記前掛部の膝辺りまでを覆う側部とからなり、前記後身頃が少なくとも肩部と、袖ぐりから着用者の脇腹部までを覆う側部と、前記肩部と連なる背当部とからなることを特徴とする前記（１）〜（４）のいずれかに記載の放射線防護衣。
（７）前記背当部は係止部を介して左右に開閉自在に形成されていることを特徴とする前記（６）に記載の放射線防護衣。
【００１６】
（８）前記背当部の中の一方と前記ベルトとが連接一体に形成されていることを特徴とする前記（６）又は（７）に記載の放射線防護衣。
【考案の効果】
【００１７】
本考案の放射線防護衣は、前身頃又は後身頃の左右両側部のいずれか一方の側のみに、該放射線防護衣を着用者に固定させるためのベルトを設けるようにしたもので、着用者の片方の手がふさがっていても片手での装脱着が容易で、また、装脱着を簡便に行うことができる。
また、伸縮性のあるベルトを面ファスナーなどの係止手段によって着用者の腰部から腹部に及ぶ、従来よりも広い範囲にわたって固定し得るようにすることにより、着用したとき放射線防護衣の重量は肩と腰部に分散され、従来の放射線防護衣に比べて着用時のィット感がより向上し、装着時に感じる重量感を軽減することができる上、腰部での経時的な緩みも改善され全体として腰部への固定を安定させることができる。
【考案を実施するための最良の形態】
【００１８】
以下、図面を用いて実施例により本考案を説明する。
図１は本考案に係る放射線防護衣の一実施例を例示する正面斜視図であり、図２はその背面斜視図である。本考案の放射線防護衣は、放射線遮蔽能を有するシート材又は積層材（以下、放射線遮蔽材ともいう）からなる少なくとも左右肩部６,６と、着用者の胸部及び腹部から膝辺りまでを覆う部分と、左右両袖ぐり９,９から着用者の脇腹部を経て膝辺りまでを覆う側部５ａ,５ａとからなる前身頃２、及び同じく少なくとも左右肩部６,６、と、着用者の背部及び腰部を経て膝辺りまでを覆う部分と、左右両袖ぐり９,９から着用者の脇腹部を経て膝辺りまでを覆う側部５ｂ,５ｂとからなる後身頃３を連接一体に形成したコートタイプの放射線防護衣である。
【００１９】
前身頃２は合わせ部１５の部分で左身頃２ａと右身頃２ｂとに分断されていて、左身頃２ａ及び右身頃２ｂの各端部近傍に取付けられている面ファスナー等の係止手段１３を介して開閉自在になっている。後身頃における着用者の脇腹（側腰）部近傍には、その左右いずれか一方の側（本例では左側）に放射線防護衣を着用者に固定するためのベルト１０が設けられている。
また、前身頃２における着用者の脇腹（側部５ａ）から腹部にかけての部分（本例では前身頃２の右側部５ａと右前身頃２ｂと左前身頃２ａの一部）、及びベルト１０の先端部内側面を含む内側面にはそれぞれ面ファスナー１１（係止手段）が設けられている。
なお、本例では前身頃２の裾の長さを後身頃３の裾の長さよりも少し長くしてあるが、前身頃２と後身頃３の裾の肩部６からの長さ（着丈の長さ）を同じにしても良いことは言うまでもない。
【００２０】
着用に際しては合わせ部１５から左右前身頃２ａ,２ｂを開いて、襟ぐり８及び袖ぐり９から両腕及び頭部（顔部分）を挿通した後、面ファスナー１３,１３により合わせ部１５の部分で左身頃２ａと右身頃２ｂとを固定し、片面に面ファスナー（係止手段）１１が取り付けられたベルト１０を、着用者の腰部に沿って表面に回して、前身頃２の腰部から腹部（本例では前身頃２における側部５ａの腰部から右前身頃２ｂ及び左前身頃２ａの一部分に至る腹部部分）に取り付けられている面ファスナー（係止手段）１１に密着固定される。
【００２１】
なお、本例では、前身頃２を左右（前身頃２ａ,ｂ）に分割して、合わせ部１５を設ける例を示したが、合わせ部１５を後身頃３側に設けて後身頃３を左右に分割するようにしても良い。
【００２２】
図３は本考案に係る放射線防護衣の他の実施例を例示する正面側斜視図であり、図４はその背面側斜視図である。なお、図３、４において図１、２に例示した放射線防護衣と同一機能を有する部分は図１、２と同一記号を付してある。
本考案の放射線防護衣は、放射線遮蔽材からなる前身頃２と後身頃３とを連接一体に形成してなるエプロンタイプの放射線防護衣である。
前身頃２は少なくとも左右肩部６,６と、着用者の胸部及び腹部から膝辺りまでに至る前掛部４と、左右両袖ぐり９,９から前記前掛部の膝辺りまでに至る左右両側部５ａ,５ｂとからなる。一方後身頃３は少なくとも左右両肩部６,６と、袖ぐり９から着用者の脇腹部に至る左右両側部５ｂ,５ｂと、係止手段である面ファスナー１２,１２を介して開閉自在に設けられた左右の背当部７,７とからなる。
【００２３】
前身頃２又は後身頃３における左右の側部（５ａ,５ｂ）の中のいずれか一方（本例では前身頃２の左側部５ａ）に、前掛部４を着用者に固定するためのベルト１０を設けてなる。そして、前身頃２における着用者の左右腰部から腹部にわたる部分（前掛部４の表面側）と、この部分とほぼ同一高さに取付けられているベルト１０の先端側半分の裏側面には係止手段としての面ファスナー１１が取付けられている。さらに、本例の放射線防護衣では、ベルト１０のほぼ中央部分には張力に応じて伸縮し得る可撓性の素材からなる伸縮部１４が設けられている。
【００２４】
従来の放射線防護衣では、該防護衣を着用者の体に固定するために取り付けられているベルトが布、皮革、合成樹脂製シートなど、張力に対して伸縮性が小さい素材で作製されているため、放射線防護衣を装着し、ベルトで着用者の体に固定しておいても、作業中において経時的にベルトが徐々に緩んでくる結果、着用者に放射線防護衣とのフィット感や該防護衣の重量感を軽減させる効果が着用中において次第に薄れてくるという弊害があった。
【００２５】
ところが本例の放射線防護衣のように、ベルト１０の少なくとも一部分に、張力に応じて伸縮し得る可撓性の素材からなる伸縮部１４を設けておくことによって、前掛部４に固定していたベルトが経時的に次第に緩み、着用者に放射線防護衣とのフィット感や該防護衣の重量感を軽減させる効果が薄れてくるという前記の弊害を取り除くことができるのでより好ましい。
伸縮部１４は本例の場合（図３、４に例示）のようにベルト１０の一部分に設けても、また、ベルト全体を張力によって伸縮性を有する可撓性の素材で作製しても良い。伸縮部１４を形成する素材としては、ゴム又はゴムの糸とポリエステル繊維等の合成繊維からなるゴム等が用いられる。
【００２６】
本例（図３、４に例示）の放射線防護衣には、着用者の背部に後身頃３における左右肩部６,６に連なる背当部７,７がそれぞれ接合されており、一方の背当部７（本例では右側の背当部７）の裏面と、もう一方の背当部７（本例では左側の肩当部７）の表面にそれぞれ係止手段として面ファスナー１２を取付けて左右の背当部７,７を肩部６,６とともに左右に開閉自在とし、係止手段の両面ファスナー１２,１２を介して着脱が可能となっている。
【００２７】
なお、本例では後身頃３の両肩部６,６に、面ファスナー１２（係止手段）が設けられた背当部７,７をそれぞれ別々に接合させておき、面ファスナー１２を介して肩部６,６に接合する背当部７を開閉自在とすることによって、襟ぐり８の一部を解放して装着脱するようにしているが、両肩部６,６と両背当部７,７を一体に形成しておき、肩部６,６と、背当部７,７の端部の一部と、前身頃２の端部の一部とにより襟ぐり８を形成し、装脱着時にはこの襟ぐり８を介して着用者の頭部（顔部分）を挿通し、両袖ぐり９,９を介して両腕を挿通するようにすることもできる。
【００２８】
前記の図３、４に例示の放射線防護衣の場合、着用に際しては背当部７,７の面ファスナー１２を解放して袖ぐり９,９から腕を挿通するとともに、襟ぐり８から頭部（顔部分）を挿通し、背面において背当部７,７の面ファスナー１２で係止させた後、前身頃２の一方の側部５ａに取付けられたベルト１０を着用者の背面側から腰部及び腹部に沿って前面の前身頃２側に回し、前掛部４の表面の側部５ａから腹部にかけて設けれらた面ファスナー１１により係止させて、着用者に密着固定する。
【００２９】
本例の放射線防護衣も、着用者が片手でベルト操作ができるのに加えて、装着後ベルト１０によって着用者の側部（本例では左側部５ａ）の腰部から背面腰部を経由して前掛部４の腹部にかけての広い範囲で放射線防護衣を密着固定することができるため、放射線防護衣の重量が肩と腰部に分散され、着用時のフィット感がより向上し、装着時に感じる重量感を軽減することができる上、固定されているベルト１０の経時的な緩みも改善され、全体として腰部への固定を安定させることができる。
【００３０】
図５は本考案に係る放射線防護衣のさらに別の実施例を例示する正面側斜視図であり、図６はその背面側斜視図である。図５、６においても、図１、２に例示した放射線防護衣と同一機能を有する部分は図１、２と同一記号を付してある。
本例の放射線防護衣は、後身頃３における肩部６,６に連なり面ファスナー１２を介して左右に開閉自在に設けられている背当部７,７の中の左右いずれか一方（本例では右側の背当部７）の下端をさらにベルト１０に連通させて、肩部６と背当部７とベルト１０とを一体に形成している。
【００３１】
また、背当部７と連通するベルト１０は、図１〜４に例示の放射線防護衣に比べて幅広にし、ベルト１０の先端部側裏面を含む裏面側の少なくとも一部の面全体と、前身頃２（前掛け部４）における着用者の左右いずれかの側腰部（本例では左腰部）から腹部の一部にかけて面ファスナー１１が設けられている。なお、上記以外は前記の図３、４に例示の放射線防護衣と同様の構成を有する。
【００３２】
着用に際しては前記図３、４に例示の放射線防護衣と同様、背当部７，７の面ファスナー１２を解放して袖ぐり９,９から腕を挿通するとともに、襟ぐり８から頭部（顔部分）を挿通し、背面において両背当部７,７を面ファスナー１２により係止させた後、背当部７に連通するベルト１０を着用者の背面側から側腰部及び腹部（前身頃２の側部５ａから前掛部４）に沿って巻き付け、前掛部４表面の面ファスナー１１により係止させて、着用者に密着固定する。
【００３３】
本例（図５、６に例示）の放射線防護衣の場合は、肩部から連通するベルト１０によって着用者の側腰部から腹部にかけてベルト１０で放射線防護衣を密着固定することができることと、ベルト１０を幅広とし、それに伴って係止手段である面ファスナー１１が設けられている前身頃２との接触面積をより大きくしてあるため、図３、４に例示した前記の放射線防護衣に比べて、放射線防護衣の重量が肩と腰部により効果的に分散させることができ、そのため着用時のフィット感がより向上し、装着時に感じる重量感もより軽減される。さらに腰部でのベルトの経時的な緩みも改善されるため、全体として着用者への放射線防護衣の固定を安定させることができる。
【００３４】
本考案の放射線防護衣に用いられる放射線遮蔽材としては、放射線遮蔽機能を有する、従来と同様の例えば、鉛粉又は亜鉛化鉛、一酸化鉛、二酸化鉛、三酸化四鉛、四酸化二鉛、四酸化三鉛、塩基性珪酸塩、沃化鉛等の鉛化合物、更にまたタングステン、スズからなる重金属等をポリ塩化ビニル、塩化ビニル−アクリル酸エステル共重合体、ナイロン、ポリエステル、ポリ酢酸ビニル等の熱可塑性樹脂やウレタンゴム、未加硫ブチルゴム、スチレンブタジエンゴム等と混合し、必要に応じてさらに可塑材を添加した混合物をシート化してなる放射線遮蔽シート、またはその積層体で構成される。この放射線遮蔽シート、またはその積層体の表面には、物理的強度を増すために熱可塑性樹脂フィルムをラミネートしておいてもよい。
【００３５】
前記の放射線遮蔽材は、通常はその両表面を天然繊維やポリエステル、ナイロン等の合成樹脂繊維を用いた織布、不織布或いはそれらをポリエチレン、ポリ酢酸ビニル、エチレン−酢酸ビニル共重合体やエラストマー等で表面加工したもの、又はゴム等からなるシートで被覆したものを所望の形状に裁断し、縫製することによって製造される。
また、放射線防護衣は、着用者の発汗による蒸れを緩和するため、前掛部４や背当部７,７等の裏側面（着用者と直接接する面）に、メッシュ状素材等の通気性を有する裏地材で被覆してもよい。
【図面の簡単な説明】
【００３６】
【図１】本考案の放射線防護衣の一実施例を例示す正面側（前身頃）の斜視図である。
【図２】図１に例示の放射線防護衣の背面側（後身頃）の斜視図である。
【図３】本考案の放射線防護衣の他の実施例を例示する正面側（前身頃）の斜視図である。
【図４】図３に例示の放射線防護衣の背面側（後身頃）の斜視図である。
【図５】本考案の放射線防護衣のさらに別の実施例を例示する正面側（前身頃）の斜視図である。
【図６】図５に例示の放射線防護衣の背面側（後身頃）の斜視図である。
【図７】従来の放射線防護衣を例示する斜視図である。
【符号の説明】
【００３７】
２、１０２                前身頃
３、１０３                後身頃
４                        前掛部
５ａ、５ｂ                側部
６、１０６                肩部
７                        背当部
８、１０８                襟ぐり
９、１０９                袖ぐり
１０、１１０              ベルト
１１、１２、１３          面ファスナー（係止手段）
１４                      伸縮部
１５                      合せ部
【図１】
0003123657.tif 000003
【図２】
0003123657.tif 000004
【図３】
0003123657.tif 000005
【図４】
0003123657.tif 000006
【図５】
0003123657.tif 000007
【図６】
0003123657.tif 000008
【図７】
0003123657.tif 000009